(57)【要約】【課題】簡易な構成により効果的に冷却を補助する熱交換器の冷却補助装置を提供する。【解決手段】本発明に係る熱交換器の冷却補助装置３は、車両１２に搭載されて冷却ファン５が作動すると該作動に伴い発生する空気流を用いて他の流体を冷却する熱交換器２の、冷却を補助する冷却補助装置３であって、前記熱交換器２の上部に配置され、水を貯留し、及び、貯留した水を前記熱交換器２に排出する排出口７が設けられた水貯留タンク６と、前記排出口７を塞ぐように設けられ、かつ、前記冷却ファン５が作動すると該作動に伴い発生する吸込み圧により前記排出口７を開くように変位する排出口制御部材８と、を備える。【選択図】図１
2010151371.tif 000002
【特許請求の範囲】
【請求項１】
車両（１２）に搭載されて冷却ファン（５）が作動すると該作動に伴い発生する空気流を用いて他の流体を冷却する熱交換器（２）の、冷却を補助する冷却補助装置（３）であって、
前記熱交換器（２）の上部に配置され、水を貯留し、及び、貯留した水を前記熱交換器（２）に向けて排出する排出口（７）が設けられた水貯留タンク（６）と、
前記排出口（７）を塞ぐように設けられ、かつ、前記冷却ファン（５）が作動すると該作動に伴い発生する吸込み圧により前記排出口（７）を開くように変位する排出口制御部材（８）と、
を備えたことを特徴とする熱交換器の冷却補助装置。
【請求項２】
請求項１に記載の熱交換器の冷却補助装置であって、
前記車両（１２）が走行中には、前記排出口制御部材（８）の全部又は一部を前記水貯留タンク（６）との間で挟持して前記排出口制御部材（８）の変位を規制する変位規制部材（９）をさらに備えたことを特徴とする熱交換器の冷却補助装置。
【請求項３】
請求項１又は２に記載の熱交換器の冷却補助装置であって、
前記排出口制御部材（８）は、
前記冷却ファン（５）の作動に伴い発生する吸込み圧を受ける受圧部（８１）と、
前記受圧部（８１）と一体に形成され、前記受圧部（８１）が吸込み圧を受けて変位すると該変位に連動して前記排出口（７）を開くように変位する排出口開閉部（８２）と、
を備えたことを特徴とする熱交換器の冷却補助装置。
【請求項４】
請求項３に記載の熱交換器の冷却補助装置であって、
前記変位規制部材（９）は、
前記水貯留タンク（６）の車両前方側に設けられ、車両（１２）の走行風を受けると該走行風により車両後方側に変位する面部（９１）と、
前記面部（９１）と一体に形成され、前記面部（９１）に連動して車両後方側に変位すると前記排出口開閉部（８２）を前記水貯留タンク（６）との間で挟持する挟持部（９３）と、
を備えたことを特徴とする熱交換器の冷却補助装置。
【請求項５】
請求項１から４の何れか一項に記載の熱交換器の冷却補助装置であって、
前記冷却ファン（５）を収納するシュラウド（４）と一体に形成されることを特徴とする熱交換器の冷却補助装置。
【請求項６】
請求項１から５の何れか一項に記載の熱交換器の冷却補助装置であって、
前記水貯留タンク（６）に貯留される水は、雨水又はエアコンのドレン水であることを特徴とする熱交換器の冷却補助装置。
【発明の詳細な説明】
【技術分野】
【０００１】
本発明は、熱交換器の冷却補助装置に関するものである。
【背景技術】
【０００２】
自動車等の車両には、二つの流体間で熱を交換する熱交換器が搭載されている。この熱交換器の一形態である凝縮器には、冷却用ファンを作動させたときに発生する空気流（対流）を用いる空冷式の凝縮器や冷却用の循環水を用いる水冷式の凝縮器などがある。
【０００３】
空冷式の凝縮器は、部品点数が少ない簡易な構成になるという長所があるものの熱交換効率が低い（空気温度への依存度が高い）という短所がある。一方、水冷式の凝縮器は、熱交換効率が高いという長所があるものの部品点数が多くなり複雑な構成になるという短所がある。
【０００４】
従来の空冷式の凝縮器には、空冷式の凝縮器の放熱フィンに細かい粒または霧状の水をほぼ均一に散布するスプレーノズル部と、このスプレーノズル部を作動・停止させる制御部とを備え、かつスプレーノズル部の散布する水量をドレン水を出すことなくほぼ蒸発する程度に制御せしめて、昇温した放熱フィンに水を散布し、この散布した水の蒸発潜熱により放熱フィンを冷却するものがある（特許文献１参照）。これにより、空冷式の凝縮器の熱交換効率を高めている。
【特許文献１】特開平１０−２１３３６１号公報
【発明の開示】
【発明が解決しようとする課題】
【０００５】
しかしながら、特許文献１に開示された技術では、熱交換効率を高めることができるもののスプレーノズル部、配管、制御部等が必要となり複雑な構成になるという問題があった。
【０００６】
本発明は、このような技術的課題を鑑みてなされたもので、簡易な構成により熱交換効率を高める熱交換器の冷却補助装置を提供することを目的とする。
【課題を解決するための手段】
【０００７】
請求項１に記載の発明は、車両に搭載されて冷却ファンが作動すると該作動に伴い発生する空気流を用いて他の流体を冷却する熱交換器の、冷却を補助する冷却補助装置であって、前記熱交換器の上部に配置され、水を貯留し、及び、貯留した水を前記熱交換器に排出する排出口が設けられた水貯留タンクと、前記排出口を塞ぐように設けられ、かつ、前記冷却ファンが作動すると該作動に伴い発生する吸込み圧により前記排出口を開くように変位する排出口制御部材と、を備えたことを特徴とする。
【０００８】
請求項２に記載の発明は、請求項１に記載の熱交換器の冷却補助装置であって、前記車両が走行中には、前記排出口制御部材の全部又は一部を前記水貯留タンクとの間で挟持して前記排出口制御部材の変位を規制する変位規制部材をさらに備えたことを特徴とするものである。
【０００９】
請求項３に記載の発明は、請求項１又は２に記載の熱交換器の冷却補助装置であって、前記排出口制御部材は、前記冷却ファンの作動に伴い発生する吸込み圧を受ける受圧部と、前記受圧部と一体に形成され、前記受圧部が吸込み圧を受けて変位すると該変位に連動して前記排出口を開くように変位する排出口開閉部と、を備えたことを特徴とするものである。
【００１０】
請求項４に記載の発明は、請求項３に記載の熱交換器の冷却補助装置であって、前記変位規制部材は、前記水貯留タンクの車両前方側に設けられ、車両の走行風を受けると該走行風により車両後方側に変位する面部と、前記面部と一体に形成され、前記面部に連動して車両後方側に変位すると前記排出口開閉部を前記水貯留タンクとの間で挟持する挟持部と、を備えたことを特徴とするものである。
【００１１】
請求項５に記載の発明は、請求項１から４の何れか一項に記載の熱交換器の冷却補助装置であって、前記冷却ファンを収納するシュラウドと一体に形成されることを特徴とするものである。
【００１２】
請求項６に記載の発明は、請求項１から５の何れか一項に記載の熱交換器の冷却補助装置であって、前記水貯留タンクに貯留される水は、雨水又はエアコンのドレン水であることを特徴とするものである。
【発明の効果】
【００１３】
請求項１に記載の発明によれば、熱交換器の冷却補助装置は、水を貯留する水貯留タンク及び水貯留タンクに設けられた排出口を開閉する排出口制御部材を用いて熱交換器の冷却を補助するので、部品点数が少ない簡易な構成で熱交換器の熱交換効率を高めることができる。
【００１４】
請求項２に記載の発明によれば、熱交換器の冷却補助装置は、車両が走行中には排出口制御部材の変位を規制して排出口を塞いだ状態にする変位規制部材を備えているので、冷却を補助する必要性の低い車両の走行中には冷却を補助しないようにすることで、必要に応じて熱交換器の熱交換効率を高めることができる。
【００１５】
請求項３に記載の発明によれば、排出口制御部材は、冷却ファンの作動に伴い発生する吸込み圧を受ける受圧部と、受圧部が吸込み圧を受けて変位すると該変位に連動して排出口を開くように変位する排出口開閉部とを備えているので、冷却ファンの作動に伴い発生する吸込み圧を効率的に利用して熱交換器の熱交換効率を高めることができる。
【００１６】
請求項４に記載の発明によれば、変位規制部材は、車両の走行風により車両後方側に変位する面部と、面部に連動して車両後方側に変位すると排出口制御部材を水貯留タンクとの間で挟持する挟持部を備えているので、簡易な構成で車両が走行中か非走行かを判定でき、必要に応じて熱交換器の熱交換効率を高めることができる。
【００１７】
請求項５に記載の発明によれば、熱交換器の冷却補助装置は、シュラウドと一体に形成されるので、車両への搭載性を高めることができる。
【００１８】
請求項６に記載の発明によれば、水貯留タンクに貯留される水は、雨水又はエアコンのドレン水であるので、蒸発潜熱が大きく環境負荷の小さい水を利用して熱交換器の熱交換効率を高めることができる。
【発明を実施するための最良の形態】
【００１９】
以下、添付図面を参照しながら本発明の実施の形態について説明する。
【００２０】
（システム構成）
図１は、本発明の一実施形態に係る空冷式凝縮器の冷却補助装置３を含む冷却システム１全体の概略構成図である。図１に示す冷却システム１は、上面がボンネット１１で覆われた車両１２のエンジンルーム１３内の車両前方側に配設されている。この冷却システム１は、空冷式凝縮器２、冷却補助装置３、シュラウド４、冷却ファン５を備えた構成である。
【００２１】
以下、冷却システム１の各構成要素について説明する。
【００２２】
空冷式凝縮器２は、エンジンルーム１３内の車両前方側に配設され、車両１２が走行しているときに前方から受ける走行風又は冷却ファン５の作動に伴い発生する空気流（図１の矢印方向）を用いて、内部を流れる流体を凝縮する公知の空冷式の凝縮器である。この空冷式凝縮器２は、配管を介して接続される不図示の膨張器から送られてきた流体を凝縮し、配管を介して接続される不図示のポンプに対して凝縮した流体を送る。すなわち、空冷式凝縮器２は車両１２に搭載されたランキンサイクルシステムの一つの構成要素である。
【００２３】
冷却補助装置３は、空冷式凝縮器２の冷却を補助する装置である。この冷却補助装置３は、水貯留タンク６、水貯留タンク６に設けられた排出口７、排出口制御部材８、変位規制部材９を備えており、水貯留タンク６に貯留された水を排出口７から空冷式凝縮器２に向けて排出することにより放熱を促して冷却を補助する。また、この冷却補助装置３はシュラウド４と一体に形成されている。詳細については図２〜５を用いて後述する。
【００２４】
シュラウド４は、空冷式凝縮器２の車両後方側に配設されて冷却ファン５を収納するカバーである。このシュラウド４は冷却ファン５による冷却効果を高めるために設けられている。
【００２５】
冷却ファン５は、図１の矢印方向つまり車両前方側から後方側に向かって空気流を発生させる公知の送風機である。空冷式凝縮器２の凝縮効率を高める必要があるとき（例えば車両１２がアイドル運転中などで空冷式凝縮器２が走行風を十分に得られないとき）に、不図示のコントローラにより制御されて作動する。
【００２６】
（冷却補助装置３）
図２は、本発明の一実施形態に係る冷却補助装置３の概略斜視図である。図２では図１の冷却補助装置３を拡大して示している。なお、説明の便宜上、水貯留タンク６及び変位規制部材９の手前側については断面で示している。
【００２７】
以下、冷却補助装置３を構成する各構成要素について説明する。
【００２８】
水貯留タンク６は、空冷式凝縮器２の上部に配置され、水を貯留するための機器である。この水貯留タンク６は、厳密に言うと、変位規制部材９との間で水を貯留するための一つの閉じた空間を形成している。また、水貯留タンク６の下部に延びたシュラウド部６ａを介してシュラウド４と一体に形成されている。素材は樹脂等である。
【００２９】
この水貯留タンク６のタンク下面には排出口７（図２では複数の微細な穴）が設けられている。この排出口７は水貯留タンク６に貯留した水を空冷式凝縮器２に対して排出する穴である。一方、水貯留タンク６のタンク上面には不図示の水の取り込み口が設けられており、雨水やエアコンのドレン水がこの取り込み口を通じて水貯留タンク６に貯留される。
【００３０】
排出口制御部材８は、水貯留タンク６の車両後方側かつ車両下方側の位置に車両幅方向を軸に回動可能に取り付けられた部材である。略直方体形状の受圧部８１と、この受圧部８１と略垂直に一体に形成されて排出口７を開閉する略直方体形状の排出口開閉部８２とを備えた構成である。素材は樹脂等である。
【００３１】
排出口開閉部８２の排出口７の側の面と水貯留タンク６の内壁の天井との間はバネ等の弾性部材で接続されている。この弾性部材の弾性力により、排出口開閉部８２は原則的には排出口７を塞いでいる。一方、冷却ファン５が作動して受圧部８１が吸込み圧を受けると、吸込み圧が弾性部材の弾性力による圧力よりも大きいときには受圧部８１は変位（図２では反時計回りに回動）する。そうすると、排出口開閉部８２はこの変位に連動して排出口７を開くように変位する。
【００３２】
変位規制部材９は、水貯留タンク６の車両前方側に設けられた部材である。車両１２の走行風を受けると走行風により車両後方側に変位可能な面部９１と、面部９１の外周から車両後方側に水貯留タンク６を包むように延びて形成され、かつ、面部９１の車両前後方向への変位に連動して水貯留タンク６との間で車両前後方向に摺動可能な摺動部９２と、この摺動部９２の一部が屈曲されて水貯留タンク６との間で所定の間隙をもつように形成された挟持部９３とを備えた構成である。素材は樹脂等である。なお、この変位規制部材９は前述の水貯留タンク６との間で水を貯留するための一つの閉じた空間を形成している。
【００３３】
このような構成の変位規制部材９は、水貯留タンク６に貯留された水の水圧により原則的には車両前方側に位置している。一方、車両１２が走行して面部９１に車両前方側から車両後方側への走行風圧がかかると、走行風圧が水貯留タンク６に貯留された水の水圧よりも大きいときに面部９１は車両前方側から車両後方側へ変位する。そうすると、挟持部９３もこれに連動して車両後方側へ変位して排出口開閉部８２の全部又は一部を挟持部９３と水貯留タンク６との間で挟持する。
【００３４】
以上のように本実施形態に係る冷却補助装置３は、冷却ファン５の作動に伴い発生する吸込み圧を用いて排出口７を開閉するよう制御する排出口制御部材８と、車両１２の走行により発生する走行風圧を用いて排出口制御部材８の変位を規制する又は変位の規制を解除する変位規制部材とを備えている。
【００３５】
続いて、このように構成される冷却補助装置３の作用について具体的に説明する。
【００３６】
（車両走行時の作用）
図３は、車両走行時の冷却補助装置３の作用を説明する図である。図３は図２の冷却補助装置３を車両幅方向からみた図を示している。
【００３７】
車両１２が走行して水貯留タンク６の内部から外側に向かって働く水の水圧よりも大きい走行風圧が面部９１にかかると、面部９１は車両前方側から車両後方側へ変位する。そうすると、挟持部９３もこれに連動して車両後方側へ変位して排出口開閉部８２の全部又は一部を挟持部９３と水貯留タンク６との間で挟持する（図３参照）。そのため、排出口開閉部８２は排出口７を開くことができず、水貯留タンク６に貯留された水は空冷式凝縮器２に対して排出されない。
このように車両１２が走行していて走行風を十分に得られるときには、冷却を補助する必要性が低い。そこで、排出口開閉部８２の変位を規制することにより冷却補助装置３は冷却を補助しないようにしている。
【００３８】
（車両非走行時の作用）
図４（ａ）は、車両非走行時の冷却補助装置３の作用を説明する図である（冷却ファン５が非作動時）。図４（ｂ）は、車両非走行時の冷却補助装置３の作用を説明する図である（冷却ファン５が作動時）。図４は図２の冷却補助装置３を車両幅方向からみた図を示している。
【００３９】
車両１２がアイドル運転時などの非走行時（又は走行時であっても水貯留タンク６の内部から外側に向かって働く水の水圧よりも小さい走行風圧が面部９１にかかっているとき）には、面部９１は車両前方側に変位する。そうすると、挟持部９３もこれに連動して車両前方側に変位して排出口開閉部８２の挟持を解除する（図４（ａ）、（ｂ）参照）。そうすると、排出口開閉部８２は自由に変位可能になる。
【００４０】
このときに、冷却ファン５が非作動時（又は作動時であっても受圧部８１にかかる吸込み圧が弾性部材の弾性力による圧力より小さいとき）には、図４（ａ）のように排出口開閉部８２は排出口７を塞ぐように位置する。そのため、水貯留タンク６に貯留された水は空冷式凝縮器２に対して排出されない。
【００４１】
このように冷却ファン５が非作動時又はＬｏｗ状態での作動時には、冷却を補助する必要性が低い。そこで、排出口開閉部８２が排出口７を塞ぐことにより冷却補助装置３は冷却を補助しないようにしている。
【００４２】
一方、冷却ファン５が作動時であって受圧部８１にかかる吸込み圧が弾性部材の弾性力による圧力よりも大きいときには、図４（ｂ）のように排出口開閉部８２は排出口７を開くように変位する。そのため、水貯留タンク６に貯留された水は空冷式凝縮器２に対して排出される。
【００４３】
このように冷却ファン５がＨｉｇｈ状態での作動時には、冷却を補助する必要性が高い。そこで、排出口開閉部８２が排出口７を開くことにより冷却補助装置３は冷却を補助するようにしている。なお、冷却ファン５の作動状態がＬｏｗ状態での作動に移行すると、再び図４（ａ）のように排出口開閉部８２は排出口７を塞ぐような位置に戻る。
【００４４】
以上のように、本実施形態に係る冷却補助装置３は、水を貯留する水貯留タンク６及び水貯留タンク６に設けられた排出口７を開閉する排出口制御部材８を用いて空冷式凝縮器２の冷却を補助するので、特別な制御用のコントローラを用いることなく部品点数が少ない簡易な構成で空冷式凝縮器２の熱交換効率を高めることができる。
【００４５】
また、本実施形態に係る冷却補助装置３は、車両１２が走行中には排出口制御部材８の変位を規制して排出口７を塞いだ状態にする変位規制部材９を備えているので、冷却を補助する必要性の低い車両１２の走行中には冷却を補助しないようにすることで、必要に応じて空冷式凝縮器２の熱交換効率を高めることができる。
【００４６】
また、本実施形態に係る排出口制御部材８は、冷却ファン５の作動に伴い発生する吸込み圧を受ける受圧部８１と、受圧部８１が吸込み圧を受けて変位すると該変位に連動して排出口７を開くように変位する排出口開閉部８２とを備えているので、冷却ファン５の作動に伴い発生する吸込み圧を効率的に利用して空冷式凝縮器２の熱交換効率を高めることができる。
【００４７】
また、本実施形態に係る変位規制部材９は、車両１２の走行風により車両後方側に変位する面部９１と、面部９１に連動して車両後方側に変位すると排出口制御部材８を水貯留タンク６との間で挟持する挟持部９３を備えているので、簡易な構成で車両１２が走行中か非走行かを判定でき、必要に応じて空冷式凝縮器２の熱交換効率を高めることができる。
【００４８】
また、本実施形態に係る冷却補助装置３は、シュラウド４と一体に形成されるので、車両１２への搭載性を高めることができる。
【００４９】
また、本実施形態に係る水貯留タンク６に貯留される水は、雨水又はエアコンのドレン水であるので、蒸発潜熱が大きく環境負荷の小さい水を利用して空冷式凝縮器２の熱交換効率を高めることができる。
【００５０】
以上、本発明の実施形態について説明したが、上記実施形態は本発明の適用例を示したものであり、本発明の技術的範囲を上記実施形態の具体的構成に限定する趣旨ではない。
【００５１】
例えば、上記説明においては、車両１２に搭載されたランキンサイクルシステムの一つの構成要素である空冷式凝縮器２に対して適用した例を示したが、この場合に限らない。車両１２に搭載されたその他の熱交換器であってもよい。
【００５２】
また、上記説明においては、水貯留タンク６のタンク上面に設けられた水の取り込み口を通じて雨水やエアコンのドレン水が水貯留タンク６に貯留されると説明したが、水貯留タンク６の水位を一定にするために別の貯留タンクで水貯留タンク６に配管等で接続したものをさらに設けてもよい。また、水貯留タンク６のタンク上部の側面に貫通穴を設けて水位がある一定以上になると自動的に水が排出されるようにしてもよい。
【図面の簡単な説明】
【００５３】
【図１】本発明の一実施形態に係る空冷式凝縮器の冷却補助装置を含むシステム全体の概略構成図である。
【図２】本発明の一実施形態に係る冷却補助装置の概略斜視図である。
【図３】車両走行時の冷却補助装置の作用を説明する図である。
【図４】車両非走行時の冷却補助装置の作用を説明する図である。
【符号の説明】
【００５４】
２    空冷式凝縮器
３    冷却補助装置
４    シュラウド
５    冷却ファン
６    水貯留タンク
６ａ  シュラウド部
７    排出口
８    排出口制御部材
９    変位規制部材
１２    車両
８１    受圧部
８２    排出口開閉部
９１    面部
９２    摺動部
９３    挟持部
【図１】
2010151371.tif 000003
【図２】
2010151371.tif 000004
【図３】
2010151371.tif 000005
【図４】
2010151371.tif 000006